(57)【特許請求の範囲】
【請求項１】
上下動させることにより液タンク内に貯留した液体を容器内へ導く液体通路を開閉する弁体と、センタリングカップとを有し、上記弁体の下端部外周面に上記センタリングカップの内周面を嵌合し、同センタリングカップの外周面対称位置に一対のスリットを設けて、同各スリットのスナップリングの左右両側部を係合し、上記弁体の下端部外周面にリング状溝を設けて、同リング状溝に上記スナップリングの前記両側部を係合して、上記センタリングカップを上記弁体の下端部外周面に着脱自在に取付ける充填バルブにおいて、
前記リング状溝を上下複数段に設け、前記スナップリングに該スナップリングを拡開させる把持部を設け、
前記スナップリングを拡開することで前記複数のリング状溝から外すことが可能であり、前記センタリングカップを昇降して前記一対又は上下複数段にそれぞれ一対設けられたスリットのいずれか一対に係合していた前記スナップリングを別のリング状溝に係合させることで前記センタリングカップの弁体に対する上下方向位置を調整可能にしたことを特徴とする充填バルブの容器内液レベル調整装置。
【発明の詳細な説明】
【０００１】
【産業上の利用分野】
本発明は、液充填機の充填バルブの容器内液レベル調整装置に関するものである。
【０００２】
【従来の技術】
従来の液充填機の充填バルブを図４により説明すると、１が液タンク、２が同液タンク１内の液面、３が同液タンク１に固定したバルブ筒、６が昇降可能な容器台、７が同容器台６上の容器、８が上記バルブ筒３内に取付けた空気ベント、８ａが同空気ベント８の下端部、１０が同空気ベント８内の空気通路、９が同空気通路１０の入口、１２が上記バルブ筒３の内周面に摺動可能に嵌挿した弁体、１１が同弁体１２を下方に付勢する圧縮ばね、１５が上記弁体１２の下端部に取付けたセンタリングカップ、２２が同センタリングカップの下向き凹陥部内に嵌挿したシール用パッキン、２３が同パッキン２２と上記センタリングカップ１５との間に介装したスペーサ、２６が上記液タンク１の下面に取付けたアクチュエータである。
【０００３】
次に上記図４に示す液充填機の充填バルブの作用を説明する。
図４の左半部は、容器７が容器台６により押し上げられて上昇し、容器７の開口部がセンタリングカップ１５内に入り、同センタリングカップ１５内のシール用パッキン２２に接触した状態を示している。
このとき、弁体１２は、圧縮ばね１１により下方に押されて、同バルブ体１２の下端部が空気ベント８の下端部８ａに接触している。この圧縮ばね１１による弁体１２下端部の空気ベント８下端部８ａに対する押下力は、容器台６の押上力よりも大きいので、弁体１２の下端部と空気ベント８の下端部８ａとの間が閉の状態にある。
【０００４】
図４の右半部は、アクチュエータ２６が上昇方向に作動し、弁体１２が上昇して、弁体１２の下端部と空気ベント８の下端部８ａとの間に液流路が形成された状態を示している。
このとき、容器台６の押上力により容器７がセンタリングカップ１５内のシール用パッキン２２に密着したまま弁体１２とともに上昇して、液タンク１内の液体が弁体１２と空気ベント８との間に形成された液体通路を経て容器７の中へ流入する一方、容器７内の空気が空気ベント８の空気通路１０を経て液タンク１の液面２の上方へ流出する。
【０００５】
そして容器７内の液面が空気ベント８の下端部８ａ（空気通路入口９）に達すると、液体が空気ベント８の空気通路１０を上昇し、同空気通路１０内の液体レベルが液タンク１内の液面２レベルに達すると、液体の液タンク１内からの液体の流入が止まる。
次いでアクチュエータ２６が下降方向に作動し、弁体１２が下降して、弁体１２の下端部が空気ベント８の下端部８ａに接触して、バルブが閉じ、次いで容器台６が下降し、センタリングカップ１５内のシール用パッキン２２と容器７とが離れて、空気ベント８の空気通路１０内の液体が下方へ逆流し、容器７内へ流入して、容器７内の液レベルが若干上昇する。
【０００６】
このときの容器７内の液レベル（入味線）は、容器７の上縁部と空気ベント８の下端部８ａとの間の距離ｅから空気通路１０内の略一定量の液体を容器７内の液面高さに換算した値を差し引いた液レベルに相当している。
この液レベル（入味線）を調整する容器内液レベル調整装置の従来例（実開閉１−１７０６９２号公報に記載のもの）を図５、図６により説明すると、２７ａ、２７ｂが弁体１２の下部の外周面対称位置に設けた一対のスリット、２８がコイルスプリングで、同コイルスプリング２８の左右両側部が上記スリット２７ａ、２７ｂに係合して、センタリングカップ１５が弁体１２に着脱自在に取付けられている。またシール用パッキン２２またはスペーサ２３が取り替えられて、容器７の上縁部と空気ベント８の下端部８ａとの間の距離ｅが調整されるようになっている。
【０００７】
【発明が解決しようとする課題】
前記図５、図６に示す従来の容器内液レベル調整装置では、液レベル（入味線）を調整するとき、コイルスプリング２８を取り外して、センタリングカップ１５を抜き取り、シール用パッキン２２またはスペーサ２３を取り替えた後、再組立する必要があって、充填バルブの数が多い液充填機では、調整工数が多くなるという問題があった。
【０００８】
本発明は前記の問題点に鑑み提案するものであり、その目的とする処は、液レベル（入味線）の調整工数を減少できる充填バルブの容器内液レベル調整装置を提供しようとする点にある。
【０００９】
【課題を解決するための手段】
上記の目的を達成するために、本発明は、上下動させることにより液タンク内に貯留した液体を容器内へ導く液体通路を開閉する弁体と、センタリングカップとを有し、上記弁体の下端部外周面に上記センタリングカップの内周面を嵌合し、同センタリングカップの外周面対称位置に一対のスリットを設けて、同各スリットのスナップリングの左右両側部を係合し、上記弁体の下端部外周面にリング状溝を設けて、同リング状溝に上記スナップリングの前記両側部を係合して、上記センタリングカップを上記弁体の下端部外周面に着脱自在に取付ける充填バルブにおいて、前記リング状溝を上下複数段に設け、前記スナップリングに該スナップリングを拡開させる把持部を設け、前記スナップリングを拡開することで前記複数のリング状溝から外すことが可能であり、前記センタリングカップを昇降して前記一対又は上下複数段にそれぞれ一対設けられたスリットのいずれか一対に係合していた前記スナップリングを別のリング状溝に係合させることで前記センタリングカップの弁体に対する上下方向位置を調整可能にしたことを特徴とする。
【００１０】
【作用】
本発明の充填バルブの容器内液レベル調整装置は前記のように構成されており、取り扱う容器の容量、種類や液体の種類が変わって、液レベル（入味線）を変える必要が生じたときには、スナップリングを緩めて、スナップリングの左右両側部を弁体の下部外周面に上下複数段に設けたリング状溝の１つから外し、次いでセンタリングカップを昇降させて、同センタリングカップの左右対称位置に設けた一対のスリットを別のリング状溝に対向させ、次いでスナップリングを元の状態に戻し、スナップリングを別のリング状溝に係合させて、容器の上縁部と空気ベントの下端部（空気通路入口）との間の距離を調整する。
【００１１】
【実施例】
（第１実施例）
次に本発明の充填バルブの容器内液レベル調整装置を図１、図２に示す第１実施例により説明すると、３１が弁体、３１ａ、３１ｂ、３１ｃが同弁体３１の下部外周面に上下３段に設けたリング状溝、３２がセンタリングカップ、３２ａ、３２ａが同センタリングカップ３２の左右対称位置に設けた一対のスリット、３３が高弾性線材によりなる鼓型のスナップリング、３３ａ、３３ａが同スナップリング３３の把持部である。
【００１２】
次に前記図１、図２に示す充填バルブの容器内液レベル調整装置の作用を具体的に説明する。
図１の左半部は、容器台６により容器７が押し上げられて上昇し、容器７の開口部がセンタリングカップ３２内に入って、同センタリングカップ３２内のシール用パッキン３４に接触した状態を示している。
【００１３】
このとき、弁体３１は、圧縮ばねにより下方に押されて、同弁体３１の下端部が空気ベント８の下端部８ａに接触している。この圧縮ばねによる弁体３１下端部の空気ベント８下端部８ａに対する押下力は、容器台６の押上力よりも大きいので、弁体３１の下端部と空気ベント８の下端部８ａとの間が閉の状態にある。図１の右半部は、アクチュエータ（図４の２６参照）が上昇方向に作動し、弁体３１が上昇して、弁体３１の下端部と空気ベント８の下端部８ａとの間に液流路が形成された状態を示している。
【００１４】
このとき、容器台６の押上力により容器７がセンタリングカップ３２内のシール用パッキン３４に密着したまま弁体３１とともに上昇して、液タンク１内の液体が弁体３１と空気ベント８との間に形成された液体通路を経て容器７の中へ流入する一方、容器７内の空気が空気ベント８の空気通路１０を経て液タンク１の液面２の上方へ流出する。
【００１５】
そして容器７内の液面が空気ベント８の下端部８ａ（空気通路入口９）に達すると、液体が空気ベント８の空気通路１０を上昇し、同空気通路１０内の液体レベルが液タンク１内の液面レベルに達すると、液体の液タンク１内からの液体の流入が止まる。
次いでアクチュエータ２６が下降方向に作動し、弁体１２が下降して、弁体１２の下端部が空気ベント８の下端部８ａに接触して、バルブが閉じ、次いで容器台６が下降し、センタリングカップ１５内のシール用パッキン２２と容器７とが離れて、空気ベント８の空気通路１０内の液体が下方へ逆流し、容器７内へ流入して、容器７内の液レベルが若干上昇する。このときの容器７内の液レベルが入味線である。
【００１６】
取り扱う容器の容量、種類や液体の種類が変わって、上記液レベル（入味線）を変える必要が生じたときには、スナップリング３３の把持部３３ａ、３３ａを手で持って接近させ、スナップリング３３を拡開して、スナップリング３３の左右両側部を弁体３１の下部外周面に上下３段に設けたリング状溝３１ａ、３１ｂ、３１ｃの１つから外し、次いでセンタリングカップ３２を昇降させて、同センタリングカップ３２の左右対称位置に設けた一対のスリット３２ａ、３２ａを別のリング状溝に対向させ、次いでスナップリング３３の把持部３３ａ、３３ａを解放し、スナップリング３３を別のリング状溝に係合させて、容器７の上縁部と空気ベント８の下端部８ａ（空気通路入口９）との間の距離ｅを調整する。
【００１７】
（第２実施例）
次に本発明の充填バルブの容器内液レベル調整装置を図３に示す第２実施例により説明する。この実施例は、容器７が容器台の上に乗ったまま昇降せず、センタリングカップ３２を容器７に向かい下降させて、容器７をシールすることにより、炭酸ガスの入っていない飲料液を充填する液充填機（ロータリ充填機）に適用した実施例である。
【００１８】
液タンク１、空気ベント８、弁体３１、センタリングカップ３２、スナップリング３３は、前記第１実施例と同じものである。
３５がバルブ筒で、同バルブ筒３５には、空気ベント８が固定され、弁体３１が昇降可能に嵌挿されている。また同バルブ筒３５には、カムフオロワ３６が取付けられており、液充填機（ロータリ充填機）に取付けた充填バルブが円周上を回転移動するときに、カム３７とカムフオロワ３６とにより、バルブ筒３５と空気ベント８とが昇降する。３８がバルブ筒３５と弁体３１との間に介装した圧縮ばね、３９が液タンク１とバルブ筒３５との間に介装した圧縮ばねである。
【００１９】
次に前記図３に示す充填バルブの容器内液レベル調整装置の作用を具体的に説明する。
図３の左半部は、カム３７とカムフオロワ３６とにより、バルブ筒３５と空気ベント８と弁体３１とセンタリングカップ３２とが下降し、同センタリングカップ３２内のパッキン３４が容器７の上縁部に接触して、センタリングカップ３２と容器７との間がシールされた状態を示している。
【００２０】
図３の右半部は、カム３７とカムフオロワ３６とにより、バルブ筒３５と空気ベント８とがさらに下降して、空気ベント８の下端部８ａと弁体３１の下端部との間に液流路が形成された状態を示している。
このとき、液タンク１内の液体が弁体３１と空気ベント８との間に形成された液体通路を経て容器７の中へ流入する一方、容器７内の空気が空気ベント８の空気通路１０を経て液タンク１の液面２の上方へ流出する。
【００２１】
そして容器７内の液面が空気ベント８の下端部８ａ（空気通路入口９）に達すると、液体が空気ベント８の空気通路を上昇し、同空気通路１０内の液体レベルが液タンク１内の液面レベルに達すると、液体の液タンク１内からの液体の流入が止まる。
この場合にも、容器７内の液レベルは、空気ベント８の下端部８ａ（空気通路入口９）の高さに空気ベント８内を上昇している液量を加えたレベルになる。従ってスナップリング３３の把持部３３ａ、３３ａを手で持って接近させ、スナップリング３３を拡開して、スナップリング３３の左右両側部を弁体３１の下部外周面に上下３段に設けたリング状溝３１ａ、３１ｂ、３１ｃの１つから外し、次いでセンタリングカップ３２を昇降させて、同センタリングカップ３２の左右対称位置に設けた一対のスリット３２ａ、３２ａを別のリング状溝に対向させ、次いでスナップリング３３の把持部３３ａ、３３ａを解放し、スナップリング３３を別のリング状溝に係合させて、容器７の上縁部と空気ベント８の下端部８ａ（空気通路入口９）との間の距離ｅを調整する。
【００２２】
なお第１、第２実施例では、リング状溝を弁体に上下複数段に設けているが、リング状溝をセンタリングカップに上下複数段に設けてもよい。またリング状溝を弁体及びセンタリングカップのそれぞれに上下複数段に設けてもよい。
【００２３】
【発明の効果】
本発明の充填バルブの容器内液レベル調整装置は前記のように取り扱う容器の容量、種類や液体の種類が変わって、液レベル（入味線）を変える必要が生じたときには、スナップリングを緩めて、スナップリングの左右両側部を弁体の下部外周面に上下複数段に設けたリング状溝の１つから外し、次いでセンタリングカップを昇降させて、同センタリングカップの左右対称位置に設けた一対のスリットを別のリング状溝に対向させ、次いでスナップリングを元の状態に戻し、スナップリングを別のリング状溝に係合させて、容器の上縁部と空気ベントの下端部（空気通路入口）との間の距離を調整するので、前記従来のようにコイルスプリングを取り外して、センタリングカップを抜き取り、シール用パッキンまたはスペーサを取り替えた後、再組立する必要がなくて、液レベル（入味線）の調整工数を減少できる。
【図面の簡単な説明】
【図１】本発明の充填バルブの容器内液レベル調整装置の第１実施例を示す縦断側面図である。
【図２】図１の矢視Ｘ−Ｘ線に沿う横断平面図である。
【図３】本発明の充填バルブの容器内液レベル調整装置の第２実施例を示す縦断側面図である。
【図４】従来の液充填機の充填バルブを示す縦断側面図である。
【図５】従来の充填バルブの容器内液レベル調整装置を示す縦断側面図である。
【図６】図５の矢視Ｙ−Ｙ線に沿う横断底面図である。
【符号の説明】
１                液タンク
２                液タンク１の液面
７                容器
３１              弁体
３１ａ〜３１ｃ    リング状溝
３２              センタリングカップ
３２ａ            スリット
３３              スナップリング
【図１】
0003771594.tif 000002
【図２】
0003771594.tif 000003
【図３】
0003771594.tif 000004
【図４】
0003771594.tif 000005
【図５】
0003771594.tif 000006
【図６】
0003771594.tif 000007